(57)【要約】      （修正有）【課題】勾配屋根への積雪を防止する装置を提供する。【解決手段】その一端を閉塞し他端に液供給管６を接続するとともに側面に小孔５を連設した管体による散液管４を設け、ポンプ２を有する貯留タンク１を設けて、該タンク内に不凍液による貯留液３を所定量貯留させ、上部開放の液受け樋７を設けるとともに、該樋端に通液管８を連通接続して、前記貯留タンクに液供給管および通液管を各々連通接続し、ポンプ運転にて建物屋根上方に位置する散液管の小孔より貯留液を噴出し、屋根表面を流下した貯留液を屋根下方に位置する樋を伝って貯留タンク内に戻すことにより、屋根上に降り積もる雪の堆積の阻止を可能とする。【選択図】図１
0003175325.tif 000002
【実用新案登録請求の範囲】
【請求項１】
その一端を閉塞し他端に液供給管を接続するとともに側面に小孔を連設した管体による散液管を設け、ポンプを有する貯留タンクを設けて、該タンク内に不凍液による貯留液を所定量貯留させ、上部開放の液受け樋を設けるとともに、該樋端に通液管を連通接続して、前記貯留タンクに液供給管および通液管を各々連通接続し、ポンプ運転にて建物屋根上方に位置する散液管の小孔より貯留液を噴出し、屋根表面を流下した貯留液を屋根下方に位置する樋を伝って貯留タンク内に戻すことにより、屋根上に降り積もる雪の堆積阻止を可能とするよう構成したことを特徴とする建築物屋根用積雪防止装置。
【請求項２】
樋全体を建物に固定される環体内に回動可能に位置させ、樋の一端に略Ｌ字形短管によるガイド管の一端を固着し、該ガイド管下端を通液管上端よりやや上方に位置させ、ガイド管下端近傍に、管に直行貫通して管側より突出する軸を設け、一方、その両側面に対向してスリットを有する短管によるスライダーを設けるとともに、該スリットより軸が突出するようガイド管と通液管の間に該スライダーを設けて、このスライダーの移動にて、樋の回動と回動阻止とを選択できるよう構成してなる請求項１記載の建築物屋根用積雪防止装置。
【請求項３】
屋根上縁水平方向に対して、散液管および液受け樋を各々傾斜して位置させてなる請求項１または２記載の建築物屋根用積雪防止装置。
【請求項４】
液受け樋に電熱ヒーターを設けてなる請求項１から３のいずれかの項に記載の建築物屋根用積雪防止装置。
【考案の詳細な説明】
【技術分野】
【０００１】  この考案は、降雪地域における建築物屋根上への積雪を防止する装置に関する。
【背景技術】
【０００２】  従来より、屋根に堆積した雪の落下を防止する手段は種々見受けられるが、屋根上根の積雪を防止する手段としては、屋根への発熱体の装備があるのみで、本案にて示すように、不凍液循環放出方式によるものは見あたらない。
【考案の開示】
【考案が解決しようとする課題】
【０００３】  降雪地域においては、除排雪は大きな問題である。雪は地上面のほかに建築物屋根上にも堆積する。特に勾配屋根（三角屋根）では、屋根上に堆積した雪が限度を超えると屋根から落下して危険である。すなわち、積雪下面と屋根表面との摩擦力に対する積雪重量による下方移動力が上回ってその積雪が一度に落下することとなる。この落下積雪が人に当たると危険であり、事故にもなるのである。勾配の緩やかな屋根では、雪の自然落下がないために、次第に積雪量が増加して建物が潰れかねない状況になるために、定期的に屋根の雪下ろしが必要となる。屋根上での除雪には危険が伴い、毎年のように屋根からの人の落下事故が報道されている。また、屋根から雪がカーブを描いて下方にせり出すいわゆる雪庇の形成も多くあり、危険要因の一つともなる。屋根に上ると、この雪庇端しか見えず、屋根端は把握が困難となる。従って、屋根の雪下ろしのときには、この屋根端位置に注意が必要である。この対策の一つとして、屋根上にヒーターを設置して融雪する方法もあるが、ランニングコスト的に有利ではない。
本考案は以上に鑑み、屋根上に人が上らずとも屋根上への積雪を防止することのできる、新規かつ有用なる手段を提供するべく発案されたものである。
【課題を解決するための手段】
【０００４】  課題を解決する手段として本案は以下の構成とした。
すなわち、その一端を閉塞し他端に液供給管を接続するとともに側面に小孔を連設した管体による散液管を設け、ポンプを有する貯留タンクを設けて、該タンク内に不凍液による貯留液を所定量貯留させ、上部開放の液受け樋を設けるとともに、該樋端に通液管を連通接続して、前記貯留タンクに液供給管および通液管を各々連通接続し、ポンプ運転にて建物屋根上方に位置する散液管の小孔より貯留液を噴出し、屋根表面を流下した貯留液を屋根下方に位置する樋を伝って貯留タンク内に戻すことにより、屋根上に降り積もる雪の堆積阻止を可能とするよう構成する。
本案は以上の構成よりなる建築物屋根用積雪防止装置である。
【考案の効果】
【０００５】  本案は以下の効果を有する。
１．不凍液を屋根上方から流下させるので、屋根表面に対する積雪を阻止することができ  る。
２．散液管を屋根上縁水平方向に対して傾斜させることにて、ポンプ停止時における管内  液を貯留タンクに戻すことができる。
３．液受け樋の回動手段を設けることにて、本案不使用時における樋上への積雪を防止す  ることができる。
４．液受け樋に電熱ヒーターを付加することにて、該樋面への積雪および氷結を防ぐこと  ができる。
【考案を実施するための最良の形態】
【０００６】  以下、本考案の実施形態について説明する。
図１は本案の概略構成を示すものである。
図において、１は中空直方体形状の貯留タンクで通常は地上面に配置され、タンク上部適所に蓋付き開口が設けられる。（図示略）２は該タンク内に位置するポンプで、結線接続にて電力が供給される。３は該タンク内に貯留される貯留液で、本案では市販の不凍液が用いられる。４は散液管である。この散液管は一端を閉塞した屋根巾に近似の長さを有する長尺の合成樹脂管体で、その外面には多数の小孔５が連設される。この散液管は、小孔を屋根下端方向に向けて屋根上部近傍にて屋根上部水平方向に対してやや傾斜を有して適宜支持部材にて屋根表面上部に取り付けられる。
６は液供給管で、前記のポンプ吐出側と散液管端開口側とを連通接続させて位置する管体である。なお散液管の閉塞側に比べて他端側はやや下方に位置している。
７は液受け樋である。この液受け樋は、上部開放の側面視半円弧形を有する長尺物であり、その開放部を上に向けて屋根下端に近接して適宜支持部材にて建物に取り付けられる。
８は通液管で、液受け樋の一端にその一方が取り付けられ、通液管他端は前記貯留タンクに連通して固定される。９は建物の勾配屋根である。
以上が本案構成の概略説明である。次に、本案の機能について説明する。【０００７】  図１に示すごとく各部をセットする。ポンプ通電運転にて貯留タンク内の貯留液は液供給管内を上昇して散液管に達し、その圧力にて小孔より液が噴射される。放出された液は屋根表面を伝って流れ落ち、液受け樋に達する。液はこの液受け樋の傾斜に沿って該樋内を移動して通液管に達する。液は通液管内を通過して貯留タンクへと戻る。
以上のように貯留液は各部を循環し、屋根上面はポンプ運転中は常にぬれた状態にて液が流れる状態にある。従って、雪が降って屋根表面に達したとき、この液とともに下方移動し、その一部は屋根端より落下し、他部は貯留液と混合する。故に、屋根上への積雪は回避され、屋根の雪下ろしや屋根積雪の急激落下の恐れはなくなる。
図３〜図６は、本案の他例を示すものである。
図において、７は既述の液受け樋、８は通液管である。
１０はガイド管で、その中ほどをゆるやかに湾曲形成した短管体であり、その一端近傍に、該管体を直行貫通してその両端を所定距離突出させた軸１１を有している。
このガイド管端の一方は前記液受け樋端に固着され、他端は垂下している。なお、この他端位置は前記通液管上端よりやや上方に位置している。１２はスライダーである。
このスライダーは、その両側面に長方形の対向するスリット１３を有しており、スリット巾は前記の軸外径よりわずかに大きく、スライダー内径はガイド管外径よりやや大きく、スライダー外径は通液管内径よりやや小さく形成されている。また、前記の軸はこのスリット外面より突出して位置する。【０００８】  １４は液受け樋保持環で、該樋を内部に位置させつつ樋外面と略同一の曲率半径内面を有する短環体であって、該樋全体の保持が可能なように複数個が、適宜支持部材にて建物に連設固定される。なお、この樋はガイド管に向けてゆるやかに下降する傾斜状態に設けられる。本例機構は液受け樋の保持環に対する回動と非回動の選択を可能とするべく構成されたもので、以下にその機能を説明する。
図３〜図６にて示すように、スライダーはガイド管の外側に位置するとともに通液管の内側に位置し、スリットより軸が突出して、この軸にてスライダーが吊下された状態にあり、スライダー下端は通液管の内側にて通液管上端より下方に位置している。また、液受け樋は保持環内に位置し、この樋とガイド管は固着にて一体化している。
従って、通常は図６のようにガイド管の状態として、樋はその開放個所を上向きとして、回動不能であり、樋としての機能発揮状態にある。この樋を回動させるには、スライダーを上方に引き上げることにて軸はスライダーのスリット下方に位置して、スライダー下端は通液管上端より上方に位置することとなって、樋の回動が可能となり、例えば１８０度回して樋の開放部を下向きとして、樋内への積雪は防止される。
この樋に対し、樋保持環は適度の押圧摩擦を有するようにサイズが決定され、回動した樋位置を保持することができる。【０００９】  以上、本案について記したが、本案は屋根上への積雪を防止するべく不凍液の屋根上流下方式を用いたものである。従来はこのような手段はないために、屋根からの落下積雪や屋根の雪下ろし中に生じた人体落下など痛ましい事故の危険があったが、本案にてこれが解消されるものとなったのである。不凍液はその名のごとく日常的に発生するマイナス温度でも凍結せずに流体状態を保つ液体で、エチレングリコールなどを主成分として、車のエンジンや住宅ヒーター用のクーラントとして多用されているものであり、降雪地域の冬季に、積雪対策に有効なものとして、本案にて新しい用途を生み出すこととなったのである。なお、屋根上積雪の一部はこの不凍液と混在することとなるので、樋にヒーターを用いて、完全液状化を図ることが望ましい。また、次第に不凍液が薄まってくるので、適宜に不凍液の補充が必要となる。また、使用の一例として、屋根にある程度の積雪となるまでポンプを停止させておき、必要に応じてポンプ運転にて屋根上の積雪を落下させる方法を用いてもよい。この場合はランニングコストの低下が期待できる。
なお、ポンプ停止時では、散液管の傾斜にて管内不凍液は貯留タンク内に自然に戻ることとなる。なお、本案説明においては、勾配屋根（三角屋根）にて説明したが、片勾配屋根や無落雪方式の屋根にも利用可能である。既述の例は実施の一例であって近似の他の方式を用いてもよい。以上のごとく、本案にて屋根上積雪による種々の問題を解消できる有用なる手段を得ることができる。
【図面の簡単な説明】
【００１０】
【図１】  本考案の原理構成説明図
【図２】  本考案の使用状態説明図
【図３】  本考案の要部構造説明図（側面視）
【図４】  本考案の要部構造説明図（正面視）
【図５】  本考案の要部構造説明図（正面視）
【図６】  本考案の要部構造説明図
【符号の説明】
【００１１】  １  貯留タンク
２  ポンプ
３  貯留液
４  散液管
５  小孔
６  液供給管
７  液受け樋
８  通液管
９  勾配屋根
１０  ガイド管
１１  軸
１２  スライダー
１３  スリット
１４  液受け樋保持環
１５  電熱ヒーター
【図１】
0003175325.tif 000003
【図２】
0003175325.tif 000004
【図３】
0003175325.tif 000005
【図４】
0003175325.tif 000006
【図５】
0003175325.tif 000007
【図６】
0003175325.tif 000008